(57)【要約】【課題】受信状況に応じて階層を切り替えるデジタル放送受信装置において、移動しながらの受信においても階層切り替えが頻繁に起こることなく安定した視聴を行うことを目的とする。【解決手段】デジタル放送ストリームを解釈して高階層と低階層のデータを所定期間遅延をさせてどちらか一方のみを出力する遅延機能付ストリームデコード部と、前記受信部から受信状況情報を受け取って高階層と低階層の内のどちらを出力するかを前記遅延機能付ストリームデコード部に指示する階層選択部とを有し、前記階層選択部が高階層を選択している際に前記受信状況情報が第1の条件を満たした時点から前記所定期間経過の後に低階層への切り替えを指示し、低階層を選択している際は前記受信状況情報が前記所定期間の間第２の条件を満たした時点で高階層への切り替えを指示する。【選択図】図１
2008109547.tif 000002
【特許請求の範囲】
【請求項１】
受信状況に応じて同一チャンネル内の視聴する階層を切り替えるデジタル放送受信装置において、
デジタル放送を受信してデジタル放送ストリームを得る受信部と、
前記デジタル放送ストリームを解釈して高階層と低階層のデータを所定期間遅延をさせてどちらか一方のみを出力する遅延機能付ストリームデコード部と、
前記受信部から受信状況情報を受け取って高階層と低階層の内のどちらを出力するかを前記遅延機能付ストリームデコード部に指示する階層選択部とを有し、
前記階層選択部が高階層を選択している際に前記受信状況情報が第１の条件を満たした時点から前記所定期間経過の後に低階層への切り替えを指示し、低階層を選択している際は前記受信状況情報が前記所定期間の間第２の条件を満たした時点で高階層への切り替えを指示することを特徴としたデジタル放送受信装置。
【発明の詳細な説明】
【技術分野】
【０００１】
本発明は、デジタル放送の受信装置に係わり、特に階層化伝送される信号を受信側で階層受信する装置に関する。
【背景技術】
【０００２】
デジタル放送では、受信状況が悪化しても受信を継続できるよう、階層伝送という技術が用いられている。階層の一方を伝送効率が良いがエラー耐性で劣る方式で伝送路符号化（これを高階層と呼ぶ）し、他方を伝送効率は悪いがエラー耐性で優れる方式で伝送路符号化（これを低階層と呼ぶ）することで、受信の良好な状況では、高品質のサービスを提供し、受信が不良な状況でも品質を落としてサービスを継続することが可能となる。
【０００３】
受信する階層の自動切り替えは、受信信号のＣ／Ｎや誤り率を利用して行う。この際、判定レベル付近で値が変化する状態の場合に、頻繁に階層の切り替えが発生することが問題となる。そこで、Ｃ／Ｎを予測して切り替えの頻発を防止する技術が知られている（特許文献１）。
【特許文献１】特許第３６０２０４７号公報
【発明の開示】
【発明が解決しようとする課題】
【０００４】
しかしながら、上記従来の装置においては、予測が外れるという課題があった。特に移動しながら受信する携帯機器といった場合、受信環境が刻一刻と変化するため予測は難しい。
【０００５】
上記課題に鑑み、本発明は、受信状況に応じて同一チャンネル内の視聴する階層を切り替えるデジタル放送受信装置において、移動しながらの受信においても階層切り替えが頻繁に起こることなく安定した視聴を行うことを目的とする。
【課題を解決するための手段】
【０００６】
この課題を解決するために本発明は、受信状況に応じて同一チャンネル内の視聴する階層を切り替えるデジタル放送受信装置において、
デジタル放送を受信してデジタル放送ストリームを得る受信部と、
前記デジタル放送ストリームを解釈して高階層と低階層のデータを所定期間遅延をさせてどちらか一方のみを出力する遅延機能付ストリームデコード部と、
前記受信部から受信状況情報を受け取って高階層と低階層の内のどちらを出力するかを前記遅延機能付ストリームデコード部に指示する階層選択部とを有し、
前記階層選択部が高階層を選択している際に前記受信状況情報が第１の条件を満たした時点から前記所定期間経過の後に低階層への切り替えを指示し、低階層を選択している際は前記受信状況情報が前記所定期間の間第２の条件を満たした時点で高階層への切り替えを指示する。
【発明の効果】
【０００７】
本発明のデジタル放送受信装置は上記構成を有し、低階層への切り替え後、所定期間高階層が安定するまで切り替えを行わないので、切り替えの頻発を抑制でき、また、高階層へ切り替わった後の所定時間は一定品質が保たれるため安定した視聴を実現できる。
【発明を実施するための最良の形態】
【０００８】
本発明の第１の発明は、受信状況に応じて同一チャンネル内の視聴する階層を切り替えるデジタル放送受信装置において、
デジタル放送を受信してデジタル放送ストリームを得る受信部と、
前記デジタル放送ストリームを解釈して高階層と低階層のデータを所定期間遅延をさせてどちらか一方のみを出力する遅延機能付ストリームデコード部と、
前記受信部から受信状況情報を受け取って高階層と低階層の内のどちらを出力するかを前記遅延機能付ストリームデコード部に指示する階層選択部とを有し、
前記階層選択部が高階層を選択している際に前記受信状況情報が第１の条件を満たした時点から前記所定期間経過の後に低階層への切り替えを指示し、低階層を選択している際は前記受信状況情報が前記所定期間の間第２の条件を満たした時点で高階層への切り替えを指示することを特徴としたデジタル放送受信装置であり、低階層への切り替え後、所定期間高階層が安定するまで切り替えを行わないので、切り替えの頻発を抑制でき、また、高階層へ切り替わった後の所定時間は一定品質が保たれるため安定した視聴を実現できる。
【０００９】
以下、本発明の実施の形態について、図面を用いて説明する。
【００１０】
（実施の形態１）
図１に本発明の実施の形態１のデジタル放送受信装置の構成例を示す。
【００１１】
図１において、１０１は放送波を受けるアンテナ、１０２はアンテナ１０１が受信する信号からデジタル放送ストリームを得るチューナ、１０３はデジタル放送ストリームを解釈して高階層と低階層のデータを所定期間遅延させて出力する遅延機能付ストリームデコード部、１０４は高階層又は低階層のデータから映像や音声をデコードして出力するＡＶデコーダである。
【００１２】
以下、図面を用いて本実施の形態の動作を説明する。
【００１３】
先ず、チューナ１０２は、デジタル放送をアンテナ１０１から受信してデジタル放送ストリームを得る。
【００１４】
遅延機能付ストリームデコード部１０３は、デジタル放送ストリームを解析して高階層と低階層のサービスを構成する映像や音声といった視聴に必要なデータを抽出して所定期間遅延させた後に出力する。所定期間は何秒でも構わないが、ここでは例として５秒とする。５秒の後に出力する時、高階層と低階層のデータのうち、出力時点で階層選択部１０５が指定する方をＡＶデコーダ１０４に出力し、出力指定されてない方のデータは破棄する。
【００１５】
ＡＶデコーダ１０４は、入力される映像や音声のストリームをデコードしてモニタやスピーカへ出力する。
【００１６】
階層選択部１０５は、チューナ１０２の受信状況を監視しており、受信状況情報を受け取る。受信状況情報としては、誤り率（ＢＥＲ：ビット誤りレート）やＣ／Ｎ（搬送波電力対雑音電力比）といったものが考えられるが、ここでは例としてＣ／Ｎの場合を示す。
【００１７】
階層選択部１０５は、高階層を選択してる状態では、Ｃ／Ｎが第１の閾値を下回る（第１の条件）かどうかを監視する。そして、第１の条件が満たされた時点から所定時間として５秒の後、低階層への切り替え指示を遅延機能付ストリームデコード部１０３に出力する。この際の階層選択部１０５のフロー図を図２に示す。
【００１８】
図２において、Ｓ２０１では、低階層指示から高階層指示へ移行した時点で開始される。また、どちらでもいいのではあるが、当デジタル放送受信装置の起動時もここから開始されるものとする。開始された場合、Ｓ２０２に進む。
【００１９】
Ｓ２０２では、チューナ１０２からＣ／Ｎを受け取ってＳ２０３に進む。
【００２０】
Ｓ２０３では、Ｃ／Ｎが第１の閾値を下回っているかどうかを確認し、下回っている場合はＳ２０４へ進み、下回っていなければＳ２０２へ戻る。
【００２１】
Ｓ２０４では、所定期間として５秒間待った後、Ｓ２０５に進む。
【００２２】
Ｓ２０５では、低階層への切り替え指示を遅延機能付ストリームデコード部１０３に出力して、Ｓ２０６に進む。
【００２３】
Ｓ２０６では、処理を終了する。
【００２４】
図１において、階層選択部１０５は、低階層を選択している状態では、Ｃ／Ｎが第２の閾値を上回る（第２の条件）状態が所定期間にわたって継続するかどうかを監視する。そして、第２の条件が所定期間にわたって継続した時点で高階層への切り替え指示を遅延機能付ストリームデコード部１０３に出力する。この際の階層選択部１０５のフロー図を図３に示す。
【００２５】
図３において、Ｓ３０１では、高階層指示から低階層指示へ移行した時点で開始され、Ｓ３０２に進む。
【００２６】
Ｓ３０２では、チューナ１０２からＣ／Ｎを受け取ってＳ３０３に進む。
【００２７】
Ｓ３０３では、Ｃ／Ｎが第２の閾値を上回っているかどうかを確認し、上回っている場合はＳ３０４に進み、上回っていない場合はＳ３０２に戻る。
【００２８】
Ｓ３０４では、タイマを使って時間計測を開始して、Ｓ３０５に進む。
【００２９】
Ｓ３０５では、チューナ１０２からＣ／Ｎを受け取ってＳ３０６に進む。
【００３０】
Ｓ３０６では、Ｃ／Ｎが第２の閾値を上回っているかどうかを確認し、上回っている場合はＳ３０８に進み、上回っていない場合はＳ３０７に進む。
【００３１】
Ｓ３０７では、時間計測を中止して、Ｓ３０２に戻る。
【００３２】
Ｓ３０８では、タイマを確認して所定期間として５秒間経過したかどうかを確認し、経過している場合はＳ３０９に進み、経過していない場合はＳ３０５に戻る。
【００３３】
Ｓ３０９では、高階層への切り替え指示を遅延機能付ストリームデコード部１０３に出力して、Ｓ３１０に進む。
【００３４】
Ｓ３１０では、処理を終了する。
【００３５】
これら一連の制御によって実現される高階層と低階層の切り替えとＣ／Ｎの関係を示す例を図４に示す。
【００３６】
以上のように本実施の形態によれば、低階層への切り替え後、所定期間高階層が安定するまで切り替えを行わないので、切り替えの頻発を抑制でき、また、高階層へ切り替わった後の所定時間は一定品質が保たれるため安定した視聴を実現できる。
【００３７】
なお、遅延機能付ストリームデコード部１０３が、デジタル放送ストリームを解析して高階層と低階層のサービスを構成する映像や音声といった視聴に必要なデータを抽出して所定期間遅延させる場合を例に挙げたが、これに限定されるものではなく、例えば、放送されるストリームそのものを遅延させても実施可能である。
【００３８】
また、第１の閾値と第２の閾値が共にＣ／Ｎの場合を例に示したが、誤り率といった受信状況を示すものであれば何でもよく、また、第１の閾値は誤り率を用い、第２の閾値はＣ／Ｎを用いたり、また幾つかの条件を複合させても実施可能であることは言うまでもない。
【産業上の利用可能性】
【００３９】
本発明のデジタル放送受信装置は、受信状況に応じて同一チャンネル内の視聴する階層を切り替えるデジタル放送受信装置において有用である。
【図面の簡単な説明】
【００４０】
【図１】本発明の実施の形態１のデジタル放送受信装置の構成例を示す図
【図２】本発明の実施の形態１の高階層を選択している状態での階層選択部１０５の制御フロー例を示す図
【図３】本発明の実施の形態１の低階層を選択している状態での階層選択部１０５の制御フロー例を示す図
【図４】本発明の実施の形態１によって実現される高階層と低階層の切り替えとＣ／Ｎの関係の一例を示す図
【符号の説明】
【００４１】
１０１  アンテナ
１０２  チューナ
１０３  遅延機能付ストリームデコード部
１０４  ＡＶデコーダ
１０５  階層選択部
【図１】
2008109547.tif 000003
【図２】
2008109547.tif 000004
【図３】
2008109547.tif 000005
【図４】
2008109547.tif 000006